Podtech/llm-jp-corpus-v4-ja_patent huggingface dataset:
【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材における第１板面部を第２板面部に対して屈曲させて、遊技媒体に設けられた線材の進入しうる隙間が形成された不正防止部材を具備し、
前記球送り手段には、前記不正防止部材を収容可能な収容部が形成され、
該収容部は、少なくとも前記金属板材における前記第２板面部を位置決めする位置決め部を有し、
前記金属板材には、遊技媒体に設けられた線材を前記隙間に向けて誘導可能な誘導部が設けられる
ことを特徴とする遊技機。
【手続補正２】
【補正対象書類名】明細書
【補正対象項目名】０００８
【補正方法】変更
【補正の内容】
【０００８】
本発明は、
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材における第１板面部を第２板面部に対して屈曲させて、遊技媒体に設けられた線材の進入しうる隙間が形成された不正防止部材を具備し、
前記球送り手段には、前記不正防止部材を収容可能な収容部が形成され、
該収容部は、少なくとも前記金属板材における前記第２板面部を位置決めする位置決め部を有し、
前記金属板材には、遊技媒体に設けられた線材を前記隙間に向けて誘導可能な誘導部が設けられる
ことを特徴とする。
また、本発明とは別に開示する別発明の手段を以下に示す。
手段１：遊技機において、
「遊技者の操作によって遊技媒体が打込まれる遊技領域と、
該遊技領域の後端を区画し、前後方向に貫通した開口部を有する板状の遊技パネルと、
該遊技パネルの前記開口部に対して前側から挿入固定され、前記遊技領域内へ打込まれた遊技媒体が前記開口部内へ侵入するのを阻止可能な枠状の周壁部、及び該周壁部の所定位置からのみ前記遊技領域内の遊技媒体が供給されて左右方向へ転動可能とされると共に該遊技領域内へ還流放出可能とされたステージ、を有したセンター役物と、
該センター役物の枠内で前記ステージの左右何れか一方側に近接して配置されると共に、前記周壁部の内周に接した通常位置と正面視前記遊技領域の中央側へ接近した出現位置との間を、前記遊技領域内へ遊技媒体が打込まれることで変化する遊技状態に応じて移動可能とされ、移動によって形成される前記周壁部の内周との空間に遊技媒体が侵入するのを防止する侵入防止部材を有した可動装飾体と
を具備する」ものであることを特徴とする。
【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材における第１板面部を第２板面部に対して屈曲させて、遊技媒体に設けられた線材の進入しうる隙間が形成された不正防止部材を具備し、
前記球送り手段には、前記不正防止部材を収容可能な収容部が形成され、
該収容部は、少なくとも前記金属板材における前記第２板面部を位置決めする位置決め部を有し、
前記金属板材には、遊技媒体に設けられた線材を前記隙間に向けて誘導可能な誘導部が設けられ、
前記通過口の一部が前記金属板材における前記隙間と連通しており、
前記不正防止部材は、前記通過口の、前記発射位置から発射された遊技媒体の進行方向側の部位に前記隙間が位置するように、前記収容部に収容され、
前記球送り手段に対する前記金属板材の取付は、該金属板材における前記第１板面部以外の部位でなされるものである
ことを特徴とする遊技機。
【手続補正２】
【補正対象書類名】明細書
【補正対象項目名】０００６
【補正方法】変更
【補正の内容】
【０００６】
本発明は、
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材における第１板面部を第２板面部に対して屈曲させて、遊技媒体に設けられた線材の進入しうる隙間が形成された不正防止部材を具備し、
前記球送り手段には、前記不正防止部材を収容可能な収容部が形成され、
該収容部は、少なくとも前記金属板材における前記第２板面部を位置決めする位置決め部を有し、
前記金属板材には、遊技媒体に設けられた線材を前記隙間に向けて誘導可能な誘導部が設けられ、
前記通過口の一部が前記金属板材における前記隙間と連通しており、
前記不正防止部材は、前記通過口の、前記発射位置から発射された遊技媒体の進行方向側の部位に前記隙間が位置するように、前記収容部に収容され、
前記球送り手段に対する前記金属板材の取付は、該金属板材における前記第１板面部以外の部位でなされるものである
ことを特徴とする。
また、本発明とは別の発明として以下の手段を例示する。
手段１：遊技機において、
「遊技者の操作によって遊技媒体が打込まれる遊技領域と、
該遊技領域内へ遊技媒体が打込まれることで変化する遊技状態に応じて前方へ向って光を照射可能とされ、正面視で該遊技領域内の所定位置に配置される発光手段と、
該発光手段の前側に配置されると共に該発光手段から照射される光の透過によって所定の第一絵柄を表示可能とされた絵柄表示部材と、
該絵柄表示部材の前側で所定距離離間して配置され、前記第一絵柄と略同じ形状に彫刻された刻設部を有する透明な前カバーと
を具備する」ことを特徴とする遊技機。
【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
予め定められた散乱プロファイルを生成すべく構成された複数の生成カーネルを有する、曲線を付けて作られた反射表面を備え、
前記予め定められた散乱プロファイルは、予め定められた入射角範囲から拡散領域内へ入射光を反射可能であり、
前記予め定められた入射角範囲から前記拡散領域内へ反射された前記光は、１回のみ前記曲線を付けて作られた反射表面から反射される、投影スクリーン。
【請求項２】
前記複数の生成カーネルのそれぞれが、ガウスピークに従う形状を有する、請求項１に記載の投影スクリーン。
【請求項３】
前記複数の生成カーネルの前記形状が、異なる高さおよび幅を有する複数のガウスピークに従う、請求項２に記載の投影スクリーン。
【請求項４】
前記異なる高さおよび幅を有する前記複数のガウスピークは、少なくとも２つのピークを含み、１つのピークに対応する前記複数の生成カーネルの構造は、前記光の波長よりも大きく、他方のピークに対応する前記複数の生成カーネルの構造は、１つの画素の大きさよりも小さい、請求項３に記載の投影スクリーン。
【請求項５】
前記複数の生成カーネルは、レーザーによって複数のパターンが記録されたフォトレジストを含む、請求項１から４の何れか１項に記載の投影スクリーン。
【請求項６】
前記複数の生成カーネルは、複数のビーズ粒子を含む、請求項１から４の何れか１項に記載の投影スクリーン。
【請求項７】
前記入射光は偏光された光であり、
前記予め定められた入射角範囲から前記拡散領域内へ反射された光は、同一の偏光状態を維持する請求項１から６のいずれか１項に記載の投影スクリーン。
【請求項８】
前記複数の生成カーネルの各々は、２地点間における拡散の変化を最小限にする請求項１から７のいずれか１項に記載の投影スクリーン。
【請求項９】
前記複数の生成カーネルは、生成カーネル間の二重反射を最小限にするエルゴード的な統計モデルを満足する請求項１から８の何れか１項に記載の投影スクリーン。
【請求項１０】
前記拡散領域は、予め定められた反射角範囲に規定される請求項１から９の何れか１項に記載の投影スクリーン。
【請求項１１】
前記拡散領域内における反射が、前記曲線を付けて作られた反射表面において１回のみ受けた反射である領域によって前記拡散領域が規定され、
前記拡散領域の外に反射される光は、前記曲線を付けて作られた反射表面において１回以上の反射がされる請求項１から１０の何れか１項に記載の投影スクリーン。
【請求項１２】
前記曲線を付けて作られた反射表面は、前記拡散領域内の分布から多重反射された光を排除する請求項１から１１の何れか１項に記載の投影スクリーン。
【請求項１３】
２以上の反射を受ける全ての光は、前記拡散領域の外に向かう請求項１から１２の何れか１項に記載の投影スクリーン。
【請求項１４】
前記拡散領域において、一つの場所からの見え方を最適化するように、前記複数の生成カーネルが、前記曲線を付けて作られた反射表面に配置されている請求項１から１３の何れか１項に記載の投影スクリーン。
【請求項１５】
前記拡散領域は、観客席における全ての観賞地点を含む請求項１から１４の何れか１項に記載の投影スクリーン。
【請求項１６】
前記複数の生成カーネル上に配置される誘電体のオーバーコートを更に備える請求項１から１５の何れか１項に記載の投影スクリーン。
【請求項１７】
前記複数の生成カーネルは、規則的な格子内に配置される請求項１から１６の何れか１項に記載の投影スクリーン。
【請求項１８】
前記規則的な格子は、六角形の格子を含む請求項１７に記載の投影スクリーン。
【請求項１９】
前記複数の生成カーネルは、モザイク状パターンに配置される請求項１７に記載の投影スクリーン。
【請求項２０】
前記規則的な格子は、複数のランダム化された中心を含む請求項１７に記載の投影スクリーン。
【請求項２１】
前記複数の生成カーネルのうち少なくとも二つが重なっている請求項１７に記載の投影スクリーン。
【請求項２２】
前記複数の生成カーネルのうちの少なくとも一つが、重なって隣接する生成カーネルから生じたゲインプロファイルを事前補正するように設計されている請求項１から２１の何れか１項に記載の投影スクリーン。
【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材における第１板面部を第２板面部に対して屈曲させて、遊技媒体に設けられた線材の進入しうる隙間が形成された不正防止部材を具備し、
前記球送り手段には、前記不正防止部材を収容可能な収容部が形成され、
該収容部は、少なくとも前記金属板材における前記第２板面部を位置決めする位置決め部を有し、
前記金属板材には、遊技媒体に設けられた線材を前記隙間に向けて誘導可能な誘導部が設けられ、
前記通過口の一部が前記金属板材における前記隙間と連通しており、
前記不正防止部材は、前記通過口の、前記発射位置から発射された遊技媒体の進行方向側の部位に前記隙間が位置するように、前記収容部に収容される
ことを特徴とする遊技機。
【手続補正２】
【補正対象書類名】明細書
【補正対象項目名】０００７
【補正方法】変更
【補正の内容】
【０００７】
本発明は、
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材における第１板面部を第２板面部に対して屈曲させて、遊技媒体に設けられた線材の進入しうる隙間が形成された不正防止部材を具備し、
前記球送り手段には、前記不正防止部材を収容可能な収容部が形成され、
該収容部は、少なくとも前記金属板材における前記第２板面部を位置決めする位置決め部を有し、
前記金属板材には、遊技媒体に設けられた線材を前記隙間に向けて誘導可能な誘導部が設けられ、
前記通過口の一部が前記金属板材における前記隙間と連通しており、
前記不正防止部材は、前記通過口の、前記発射位置から発射された遊技媒体の進行方向側の部位に前記隙間が位置するように、前記収容部に収容される
ことを特徴とする。
また、本発明とは別に開示する別発明では、大当たり遊技の実行態様として複数の実行態様が用意されるとともに、それら実行態様のいずれかにて大当たり遊技が行われる遊技機であって、遊技領域に打ち出された遊技球を受け入れ可能な始動口と、前記始動口への遊技球の受け入れに基づいて、大当たりについての当落判定を行う当落判定手段と、前記当落判定の結果として大当たりが当選されると、前記複数の実行態様の少なくともいずれかを各々含む複数の大当たり形態を付与可能な状態とする当選状態制御手段と、前記複数の大当たり形態が付与可能な状態において、それら大当たり形態のいずれかを選択するとともに、該選択された大当たり形態のもとで、当該大当たり形態に含まれている大当たり遊技の実行態様の中から一の実行態様を決定する特定形態処理手段と、前記特定形態処理手段により決定された実行態様にて大当たり遊技を実行する大当たり遊技実行手段と、前記遊技領域に打ち込まれた遊技球が第１受入口及び第２受入口のいずれかに受け入れられるように設けられる受入口手段とを備え、前記特定形態処理手段は、前記第１受入口に遊技球が受け入れられたことに基づいて、前記複数の大当たり形態のうちの特定の大当たり形態を選択し、この特定の大当たり形態に含まれている大当たり遊技の実行態様の中から、第１の所定数量の遊技球が獲得可能とされる実行態様を、相対的に高い確率で決定可能とする基準形態制御手段、及び前記第２受入口に遊技球が受け入れられたことに基づいて、前記複数の大当たり形態のうちの前記特定の大当たり形態とは異なる他の大当たり形態を選択し、この他の大当たり形態に含まれている実行態様の中から、第１の所定数量よりも多い第２の所定数量の遊技球が獲得可能とされる実行態様を、相対的に高い確率で決定可能とする増大形態制御手段を有しており、前記受入口手段は、前記増大形態制御手段により他の大当たり形態が選択される確率が所定値以下となるように前記第２受入口への遊技球の受け入れを基本的には許容せず、且つこの許容しない遊技球を、前記特定の大当たり形態が選択される前記第１受入口へと誘導するように設けられる可動体を有しており、前記可動体は、前記受入口手段に向けて遊技球が打ち出されるタイミングによっては、前記増大形態制御手段により他の大当たり形態が選択される確率が所定値を超える周期性のある動作を行う周期可動体として設けられてなることを要旨とする。
【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材における第１板面部を第２板面部に対して屈曲させて、遊技媒体に設けられた線材の進入しうる隙間が形成された不正防止部材を具備し、
前記球送り手段には、前記不正防止部材を収容可能な収容部が形成され、
該収容部は、少なくとも前記金属板材における前記第２板面部を位置決めする位置決め部を有し、
前記金属板材には、遊技媒体に設けられた線材を前記隙間に向けて誘導可能な誘導部が設けられ、
前記不正防止部材は、前記通過口の、前記発射位置から発射された遊技媒体の進行方向側の部位に前記隙間が位置するように、前記収容部に収容される
ことを特徴とする遊技機。
【手続補正２】
【補正対象書類名】明細書
【補正対象項目名】０００８
【補正方法】変更
【補正の内容】
【０００８】
本発明は、
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材における第１板面部を第２板面部に対して屈曲させて、遊技媒体に設けられた線材の進入しうる隙間が形成された不正防止部材を具備し、
前記球送り手段には、前記不正防止部材を収容可能な収容部が形成され、
該収容部は、少なくとも前記金属板材における前記第２板面部を位置決めする位置決め部を有し、
前記金属板材には、遊技媒体に設けられた線材を前記隙間に向けて誘導可能な誘導部が設けられ、
前記不正防止部材は、前記通過口の、前記発射位置から発射された遊技媒体の進行方向側の部位に前記隙間が位置するように、前記収容部に収容される
ことを特徴とする。
また、本発明とは別に開示する別発明では、前記遊技領域に設けられる受入口と、前記受入口への遊技球の受け入れに基づいて、特定条件の成立にかかる当落判定を行う抽選手段と、前記当落判定の結果として前記特定条件が成立したことに基づいて、所定態様で大当たり遊技が実行される当たりが少なくとも属する第１形態と、前記所定態様とは異なる態様で大当たり遊技が実行される当たりが少なくとも属する第２形態とを、少なくとも付与可能な状態とする複形態付与制御手段と、前記第１形態と前記第２形態とが少なくとも付与可能な状態とされたときに、該第１形態又は該第２形態の選択が可能とされる処理を行う選択処理手段と、大当たり遊技の実行態様を、前記選択処理手段にて選択された形態に属する当たりに対応する実行態様に決定する実行態様決定手段と、前記決定手段により決定された実行態様での大当たり遊技を実行する大当たり遊技実行手段と、を備え、前記第２形態には、前記所定態様とは異なる態様で大当たり遊技が実行される当たりとして、遊技者にとっての利益度合が互いに異なる小利益当たり及び大利益当たりが少なくとも属しており、前記選択処理手段は、前記遊技領域に打ち込まれた遊技媒体が振り分けられる振り分け先として、前記第１形態が選択される第１振り分け先と、前記第２形態が選択される第２振り分け先とを有するとともに、これら第１振り分け先及び第２振り分け先のいずれに前記遊技媒体が振り分けられたかを検出する検出手段を有し、前記実行態様決定手段は、前記検出手段による遊技該媒体の検出により前記第１形態が選択されたときには、該第１形態に属する当たりに決定する第１決定手段、及び前記検出手段による遊技該媒体の検出により前記第２形態が選択されたときには、該第２形態に属する遊技者にとっての利益度合が異なる当たりのうち、抽選によりいずれかの当たりに決定する第２決定手段を有し、さらに、前記遊技領域に向けて打ち込まれた遊技媒体が前記第２の振り分け先に振り分けられたときに、ただちに、前記第２形態に属する当たりのうちいずれかの当たりに決定されてしまうことが回避されるように、前記第２の振り分け先に振り分けられた遊技媒体についての前記検出手段による検出を、都度異なる不規則なタイミングで遅延させる不規則遅延手段と、前記遊技領域に向けて打ち込まれた遊技媒体が前記第２の振り分け先に振り分けられたにもかかわらず、該第２の振り分け先に振り分けられた遊技媒体についての前記検出手段による検出が前記不規則遅延手段により遅延されたことによって、別の遊技媒体が前記第１の振り分け先に振り分けられたときに該第１の振り分け先に振り分けられた前記別の遊技媒体についての前記検出手段による検出を回避する第２振分先検出手段と、を備えることを要旨とする。
【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材における第１板面部を第２板面部に対して屈曲させて、遊技媒体に設けられた線材の進入しうる隙間が形成された不正防止部材を具備し、
前記球送り手段には、前記不正防止部材を収容可能な収容部が形成され、
該収容部は、少なくとも前記金属板材における前記第２板面部を位置決めする位置決め部を有し、
前記金属板材には、遊技媒体に設けられた線材を前記隙間に向けて誘導可能な誘導部が設けられ、
前記通過口の一部が前記金属板材における前記隙間と連通しており、
前記球送り手段に対する前記金属板材の取付は、該金属板材における前記第１板面部以外の部位でなされるものである
ことを特徴とする遊技機。
【手続補正２】
【補正対象書類名】明細書
【補正対象項目名】０００７
【補正方法】変更
【補正の内容】
【０００７】
本発明は、
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材における第１板面部を第２板面部に対して屈曲させて、遊技媒体に設けられた線材の進入しうる隙間が形成された不正防止部材を具備し、
前記球送り手段には、前記不正防止部材を収容可能な収容部が形成され、
該収容部は、少なくとも前記金属板材における前記第２板面部を位置決めする位置決め部を有し、
前記金属板材には、遊技媒体に設けられた線材を前記隙間に向けて誘導可能な誘導部が設けられ、
前記通過口の一部が前記金属板材における前記隙間と連通しており、
前記球送り手段に対する前記金属板材の取付は、該金属板材における前記第１板面部以外の部位でなされるものである
ことを特徴とする。
また、本発明とは別に開示する別発明では、大当たり遊技の実行態様として複数の実行態様が用意されるとともに、それら実行態様のいずれかにて大当たり遊技が行われる遊技機であって、遊技領域に打ち込まれた遊技球を受け入れ可能な始動口と、前記始動口への遊技球の受け入れに基づいて、大当たりについての当落判定を行う当落判定手段と、前記当落判定の結果として大当たりが当選されたことに基づいて、前記複数の実行態様のいずれかが決定されるまでに至る処理構造がそれぞれ異なっている複数の大当たり形態を付与可能な状態とする当選状態制御手段と、前記複数の大当たり形態が付与可能な状態において、それら大当たり形態のいずれかを選択するとともに、該選択された大当たり形態のもとでの処理構造によって前記複数の実行態様のいずれかを決定する特定形態進行制御手段と、前記特定形態進行制御手段により決定された実行態様にて大当たり遊技を実行する大当たり遊技実行手段とを備え、前記遊技領域に打ち込まれた遊技球が第１受入口及び第２受入口のいずれかに受け入れられるように設けられる受入口手段をさらに用意するようにした上で、前記特定形態進行制御手段は、前記第１受入口に遊技球が受け入れられたとき、前記複数の実行態様のいずれかが決定されるまでに至る処理構造として、遊技者により獲得可能とされる遊技球の数量が最も少ない最少の実行態様が決定候補から除かれている安定処理構造が持たせられている第１の大当たり形態を選択する安定形態選択手段、前記安定形態選択手段により第１の大当たり形態が選択されたとき、前記最少の実行態様が決定候補から除かれている安定処理構造に基づいて、少なくとも第１の所定数量の遊技球が遊技者によって獲得可能とされるように前記複数の実行態様のいずれかを決定する安定決定手段、前記第２受入口に遊技球が受け入れられたとき、前記複数の実行態様のいずれかが決定されるまでに至る処理構造として、遊技者により獲得可能とされる遊技球の数量が最も少ない最少の実行態様が決定候補に含まれている最少含み処理構造が持たせられている第２の大当たり形態を選択する最少含み形態選択手段、及び前記最少含み形態選択手段により第２の大当たり形態が選択されたとき、前記最少の実行態様が決定候補に含まれている最少含み処理構造に基づいて、前記第１の所定数量の遊技球すら遊技者によって獲得可能とされない可能性があるように前記複数の実行態様のいずれかを決定する最少含み決定手段を有しており、前記受入口手段は、前記最少含み形態選択手段により最少含み処理構造が持たせられている第２の大当たり形態が選択される確率が所定の低確率未満となるように前記第２受入口への遊技球の受け入れを基本的には許容せず、且つこの許容しない遊技球を、前記安定処理構造が持たせられている第１の大当たり形態が選択される前記第１受入口へと誘導するように設けられる可動体を有しており、前記可動体は、前記受入口手段に向けて遊技球が打ち出されるタイミングによっては、前記最少含み形態選択手段により最少含み処理構造が持たせられている第２の大当たり形態が選択される確率が所定の低確率を超えてしまうように周期性のある動作を行う周期可動体として設けられてなることを要旨とする。
【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材における第１板面部を第２板面部に対して屈曲させて、遊技媒体に設けられた線材の進入しうる隙間が形成された不正防止部材を具備し、
前記球送り手段には、前記不正防止部材を収容可能な収容部が形成され、
該収容部は、少なくとも前記金属板材における前記第２板面部を位置決めする位置決め部を有し、
前記金属板材には、遊技媒体に設けられた線材を前記隙間に向けて誘導可能な誘導部が設けられ、
前記通過口の一部が前記金属板材における前記隙間と連通している
ことを特徴とする遊技機。
【手続補正２】
【補正対象書類名】明細書
【補正対象項目名】０００８
【補正方法】変更
【補正の内容】
【０００８】
本発明は、
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材における第１板面部を第２板面部に対して屈曲させて、遊技媒体に設けられた線材の進入しうる隙間が形成された不正防止部材を具備し、
前記球送り手段には、前記不正防止部材を収容可能な収容部が形成され、
該収容部は、少なくとも前記金属板材における前記第２板面部を位置決めする位置決め部を有し、
前記金属板材には、遊技媒体に設けられた線材を前記隙間に向けて誘導可能な誘導部が設けられ、
前記通過口の一部が前記金属板材における前記隙間と連通している
ことを特徴とする。
また、本発明とは別に開示する別発明では、前記遊技領域に設けられる受入口と、前記受入口への遊技球の受け入れに基づいて、特定条件の成立にかかる当落判定を行う抽選手段と、前記当落判定の結果として前記特定条件が成立したことに基づいて、所定態様で大当たり遊技が実行される当たりが少なくとも属する第１形態と、前記所定態様とは異なる態様で大当たり遊技が実行される当たりが少なくとも属する第２形態とを、少なくとも付与可能な状態とする複形態付与制御手段と、前記第１形態と前記第２形態とが少なくとも付与可能な状態とされたときに、該第１形態又は該第２形態の選択が可能とされる処理を行う選択処理手段と、大当たり遊技の実行態様を、前記選択処理手段にて選択された形態に属する当たりに対応する実行態様に決定する実行態様決定手段と、前記決定手段により決定された実行態様での大当たり遊技を実行する大当たり遊技実行手段と、を備え、前記第２形態には、前記所定態様とは異なる態様で大当たり遊技が実行される当たりとして、遊技者にとっての利益度合が互いに異なる小利益当たり及び大利益当たりが少なくとも属しており、前記選択処理手段は、前記遊技領域に打ち込まれた遊技媒体が振り分けられる複数の振り分け先を有するとともに、該複数の振り分け先のうち前記第２形態が選択される特定の振り分け先に振り分けられたときには、該特定の振り分け先に振り分けられた旨を検出する検出手段を有し、前記実行態様決定手段は、前記検出手段による遊技該媒体の検出により前記第２形態が選択されたときには、該第２形態に属する遊技者にとっての利益度合が異なる当たりのうち、抽選によりいずれかの当たりに決定する当たり決定手段を有し、さらに、前記遊技領域に向けて打ち込まれた遊技媒体が前記特定の振り分け先に振り分けられたときに、ただちに、前記第２形態に属する当たりのうちいずれかの当たりに決定されてしまうことが回避されるように、前記特定の振り分け先に振り分けられた遊技媒体についての前記検出手段による検出を、都度異なる不規則なタイミングで遅延させる不規則遅延手段を備えることを要旨とする。
【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材における第１板面部を第２板面部に対して屈曲させて、遊技媒体に設けられた線材の進入しうる隙間が形成された不正防止部材を具備し、
前記球送り手段には、前記不正防止部材を収容可能な収容部が形成され、
前記金属板材には、遊技媒体に設けられた線材を前記隙間に向けて誘導可能な誘導部が設けられ、
前記通過口の一部が前記金属板材における前記隙間と連通しており、
前記不正防止部材は、前記通過口の、前記発射位置から発射された遊技媒体の進行方向側の部位に前記隙間が位置するように、前記収容部に収容され、
前記球送り手段に対する前記金属板材の取付は、該金属板材における前記第１板面部以外の部位でなされるものである
ことを特徴とする遊技機。
【手続補正２】
【補正対象書類名】明細書
【補正対象項目名】０００７
【補正方法】変更
【補正の内容】
【０００７】
本発明は、
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材における第１板面部を第２板面部に対して屈曲させて、遊技媒体に設けられた線材の進入しうる隙間が形成された不正防止部材を具備し、
前記球送り手段には、前記不正防止部材を収容可能な収容部が形成され、
前記金属板材には、遊技媒体に設けられた線材を前記隙間に向けて誘導可能な誘導部が設けられ、
前記通過口の一部が前記金属板材における前記隙間と連通しており、
前記不正防止部材は、前記通過口の、前記発射位置から発射された遊技媒体の進行方向側の部位に前記隙間が位置するように、前記収容部に収容され、
前記球送り手段に対する前記金属板材の取付は、該金属板材における前記第１板面部以外の部位でなされるものである
ことを特徴とする。
また、本発明とは別に開示する別発明の手段を以下に示す。
手段１：
「遊技者の操作によって遊技媒体が打ち込まれる遊技領域と、
前記遊技領域に設けられる受入口と、
前記受入口に遊技球が受け入れられることに基づいて抽選を行う抽選手段と、
遊技者の操作によって前記遊技領域に打ち込まれた遊技媒体を、選択的に振り分ける振分手段と、
前記抽選手段による抽選の結果が大当りである旨が決定されたのちに、前記振分手段により選択的に振り分けられた振分先に応じて、複数ある大当り遊技の態様のうちいずれかに決定可能であるとともに、該振分先が特定の振分先であるときには、複数ある前記大当り遊技の態様のうちいずれかを内部抽選により決定する大当り態様抽選手段を有する大当り遊技態様決定手段と、
少なくとも、遊技者の操作によって前記遊技領域に打ち込まれた遊技媒体が前記特定の振分先に振り分けられたときに、前記大当り態様抽選手段による内部抽選の結果を把握できるかたちでの、外部的な抽選演出を実行可能な可動役物と、
前記外部的な抽選演出の態様は、前記大当り態様抽選手段による内部抽選の結果に基づいて決定されるものの、該外部的な抽選演出の結果に基づいて決定されるかのような態様で該外部的な抽選演出が行われるように、前記可動役物の作動を制御する可動役物制御手段と、
を備えるとともに、遊技者の操作によって前記遊技領域に打ち込まれた遊技媒体が遊技者の意に沿った振分先に振り分けられることを可能とすることで、前記可動役物による前記外部的な抽選演出が実行されることを選択可能とした
ことを特徴とする遊技機。」
【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
出発地情報と、目的地情報と、入口位置情報及び複数の出口位置情報を含む駐車場情報と、を取得する取得手段と、
前記出口位置情報によりそれぞれの位置が示されている複数の出口の中から、前記出発地情報、前記目的地情報、前記入口位置情報及び前記出口位置情報に基づいて一の前記出口を決定し、当該決定された一の前記出口を含む、前記出発地から前記目的地に至る経路を決定する決定手段と、
前記決定された一の前記出口を報知する報知手段と、
を備えることを特徴とする報知装置。
【請求項２】
請求項１に記載の報知装置において、
前記決定手段は、
前記駐車場情報に対応する駐車場までの前記出発地からの経路である出発地−駐車場経路を決定するための出発地−駐車場指標を取得する第１取得手段と、
前記目的地情報により示される目的地までの前記複数の出口のいずれかからの経路である駐車場−目的地経路を決定するための駐車場−目的地指標を取得する第２取得手段と、
を備え、
各前記取得された出発地−駐車場指標、駐車場情報及び駐車場−目的地指標に基づいて、前記出発地から前記目的地までの経路を構成する前記出発地−駐車場経路、前記一の出口及び前記駐車場−目的地経路を決定することを特徴とする報知装置。
【請求項３】
請求項２に記載の報知装置において、
前記駐車場が複数の入口を有し、
前記取得手段は、いずれかの前記入口といずれかの前記出口との間の距離に対応した距離情報を含む前記駐車場情報を更に取得し、
前記決定手段は、各前記取得された出発地−駐車場指標、駐車場情報及び駐車場−目的地指標に基づいて、複数の前記入口のうちの一つと、前記複数の出口のうちの一つと、を決定することを特徴とする報知装置。
【請求項４】
請求項２又は請求項３に記載の報知装置において、
前記駐車場が、利用の対象である施設に付随する駐車場であり、
当該駐車場が複数の前記入口を有し、
前記取得手段は、いずれかの前記入口と前記施設との間の距離、又は前記施設といずれかの前記出口との間の距離、の少なくともいずれか一方に対応した施設距離情報を含む前記駐車場情報を取得し、
前記決定手段は、各前記取得された出発地−駐車場指標、駐車場情報及び駐車場−目的地指標に基づいて、複数の前記入口のうちの一つと、前記複数の出口のうちの一つと、を決定することを特徴とする報知装置。
【請求項５】
請求項２から請求項４のいずれか一項に記載の報知装置において、
各前記取得される出発地−駐車場指標、駐車場情報又は駐車場−目的地指標の少なくともいずれかが、前記駐車場の混雑状況を示す混雑情報に基づいて、混雑している前記駐車場ほど前記出発地から前記目的地までの前記経路の一部として決定され難い値を有することを特徴とする報知装置。
【請求項６】
請求項１から請求項５のいずれか一項に記載の報知装置において、
前記駐車場情報に対応する駐車場が複数の階を有する立体駐車場である場合において、前記駐車場情報は、当該駐車場情報に対応する前記駐車場の階数が増えるほど当該階が前記出発地から前記目的地までの前記経路の一部として決定され難くなるように重み付けされていることを特徴とする報知装置。
【請求項７】
請求項１から請求項６のいずれか一項に記載の報知装置において、
前記取得される駐車場情報が、当該駐車場情報に対応する駐車場内の駐車位置それぞれに関連する駐車位置関連情報に基づいて、当該駐車場内における前記車両の移動距離が短い前記駐車位置ほど前記出発地から前記目的地までの前記経路の一部として決定され易い値を有することを特徴とする報知装置。
【請求項８】
請求項７に記載の報知装置において、
前記駐車場が、利用の対象である施設に付随する駐車場であり、
前記取得される駐車場情報が、前記駐車位置関連情報に基づき、前記移動距離及び前記駐車位置から前記施設までの距離が短い前記駐車位置ほど前記出発地から前記目的地までの前記経路の一部として決定され易い値を有することを特徴とする報知装置。
【請求項９】
請求項１から請求項８のいずれか一項に記載の報知装置において、
前記駐車場情報を記憶する記憶手段を更に備え、
前記取得手段は、前記記憶されている駐車場情報を取得することを特徴とする報知装置。
【請求項１０】
取得手段と、決定手段と、報知手段と、を備える報知装置において実行される報知方法において、
出発地情報と、目的地情報と、入口位置情報及び複数の出口位置情報を含む駐車場情報と、を前記取得手段により取得する取得工程と、
前記出口位置情報によりそれぞれの位置が示されている複数の出口の中から、前記出発地情報、前記目的地情報、前記入口位置情報及び前記出口位置情報に基づいて一の前記出口を決定し、当該決定された一の前記出口を含む、前記出発地から前記目的地に至る経路を前記決定手段により決定する決定工程と、
前記決定された一の前記出口を前記報知手段により報知する報知工程と、
を含むことを特徴とする報知方法。
【請求項１１】
コンピュータを、請求項１から請求項９のいずれか一項に記載の報知装置の各手段として機能させることを特徴とする報知用プログラム。
【手続補正２】
【補正対象書類名】明細書
【補正対象項目名】０００７
【補正方法】変更
【補正の内容】
【０００７】
上記の課題を解決するために、請求項１に記載の発明は、出発地情報と、目的地情報と、入口位置情報及び複数の出口位置情報を含む駐車場情報と、を取得する取得手段と、前記出口位置情報によりそれぞれの位置が示されている複数の出口の中から、前記出発地情報、前記目的地情報、前記入口位置情報及び前記出口位置情報に基づいて一の前記出口を決定し、当該決定された一の前記出口を含む、前記出発地から前記目的地に至る経路を決定する決定手段と、前記決定された一の前記出口を報知する報知手段と、を備える。
【手続補正３】
【補正対象書類名】明細書
【補正対象項目名】０００８
【補正方法】変更
【補正の内容】
【０００８】
上記の課題を解決するために、請求項１０に記載の発明は、取得手段と、決定手段と、報知手段と、を備える報知装置において実行される報知方法において、出発地情報と、目的地情報と、入口位置情報及び複数の出口位置情報を含む駐車場情報と、を前記取得手段により取得する取得工程と、前記出口位置情報によりそれぞれの位置が示されている複数の出口の中から、前記出発地情報、前記目的地情報、前記入口位置情報及び前記出口位置情報に基づいて一の前記出口を決定し、当該決定された一の前記出口を含む、前記出発地から前記目的地に至る経路を前記決定手段により決定する決定工程と、前記決定された一の前記出口を前記報知手段により報知する報知工程と、を含む。
【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
デジタルビデオストリームの情報を可視化するための方法であって、
前記デジタルビデオストリームの画像フレームの複数のグループをマージすることによって形成される一連のマージされた画像フレームを受信することと、
複数のマージされた画像フレームを一連のブレンドされた画像フレームへとブレンドすることと、
前記一連のブレンドされた画像フレームをディスプレイ（１６）上に表示することと
を含み、
前記複数のマージされた画像フレームをブレンドすることにおいて、前記複数のマージされた画像フレームの各々が複数のブレンドされた画像フレームに寄与することを特徴とする、方法。
【請求項２】
ブレンドされた画像フレームの各々に寄与するマージされた画像フレームの数を設定することを更に含む、請求項１に記載の方法。
【請求項３】
前記マージされた画像フレームが寄与する前記ブレンドされた画像フレームのうちの少なくとも２つの間で変化するように、マージされた画像フレームの寄与度の重みが設定される、請求項１または２に記載の方法。
【請求項４】
前記マージされた画像フレームが寄与する前記ブレンドされた画像フレームの各々において一定であるように、マージされた画像フレームの寄与度の重みが設定される、請求項１から３の何れか一項に記載の方法。
【請求項５】
前記一連のブレンドされた画像フレームを前記表示することが、前記ブレンドされた画像フレームを、ブレンドされた画像フレームのビデオストリームとして連続的に表示することによって実施される、請求項１から４の何れか一項に記載の方法。
【請求項６】
前記一連のブレンドされた画像フレームを前記表示することが、前記ブレンドされた画像フレームを、前記ディスプレイ上に並べて表示することによって実施される、請求項１から５の何れか一項に記載の方法。
【請求項７】
前記デジタルビデオストリームの画像フレームの複数のグループを、前記一連のマージされた画像フレームへとマージすることを更に含む、請求項１から６の何れか一項に記載の方法。
【請求項８】
マージされた画像フレームの各々に寄与する画像フレームの数を設定することを更に含む、請求項７に記載の方法。
【請求項９】
前記ビデオストリームからの画像フレームの複数のグループを前記一連のマージされた画像フレームへとマージする前に、前記画像フレームの解像度を低下させることを更に含む、請求項７に記載の方法。
【請求項１０】
前記ビデオストリームからの画像フレームの複数のグループを前記一連のマージされた画像フレームへとマージする際に、前記画像フレームの解像度を低下させることを更に含む、請求項７に記載の方法。
【請求項１１】
前記デジタルビデオストリーム中の関心対象の事象を検出すること、及び、前記事象を含む前記デジタルビデオストリームの画像フレームについての画像フレームの寄与度の重みを、前記事象を含まない前記デジタルビデオストリームの画像フレームについての画像フレームの寄与度の重みとは異なるように設定することを更に含む、請求項７から１０の何れか一項に記載の方法。
【請求項１２】
前記デジタルビデオストリーム中の関心対象の事象を検出すること、及び、前記事象を含むマージされた画像フレームについてのマージされた画像フレームの寄与度の重みを、前記事象を含まないマージされた画像フレームについてのマージされた画像フレームの寄与度の重みとは異なるように設定することを更に含む、請求項１から１０の何れか一項に記載の方法。
【請求項１３】
デジタルビデオストリームの情報を可視化するための装置であって、
前記デジタルビデオストリームの画像フレームの複数のグループをマージすることによって形成される一連のマージされた画像フレームを記憶するように構成された、メモリ（１２）、
複数のマージされた画像フレームを一連のブレンドされた画像フレームへとブレンドするように構成されたブレンドモジュール（１４）、及び
前記一連のブレンドされた画像フレームを表示するように構成された、ディスプレイ（１６）
を備え、
前記ブレンドモジュールによって実行される前記ブレンドすることにおいて、複数の前記マージされた画像フレームの各々が複数の前記ブレンドされた画像フレームに寄与することを特徴とする、装置。
【請求項１４】
前記デジタルビデオストリームからの画像フレームの複数のグループを前記一連のマージされた画像フレームへとマージするように構成された、マージモジュール（１０）を更に備える、請求項１３に記載の装置。
【請求項１５】
処理能力を有するデバイス上で実行されると請求項１から１２の何れか一項に記載の方法を実施するプログラムを記憶している、コンピュータ可読記録媒体。
【手続補正書】
【提出日】平成29年11月9日(2017.11.9)
【手続補正１】
【補正対象書類名】特許請求の範囲
【補正対象項目名】全文
【補正方法】変更
【補正の内容】
【特許請求の範囲】
【請求項１】
多相クロック生成回路により搬送波に同期して前記搬送波と同一周波数である多相クロックを生成する無線通信装置であって、
受信した前記搬送波を復調した２値波形からコマンドの検出を行い、位相設定コマンドを認識するコマンド認識回路を備え、
前記コマンド認識回路が前記位相設定コマンドを認識したときにレジスタ回路へ位相設定値を設定する制御回路を備え、
前記レジスタ回路の前記位相設定値から前記多相クロックの１つのクロックを選択する選択回路を備えた無線通信装置。
【請求項２】
前記搬送波の受信開始前に、前記制御回路がメモリから読み出した設定値に基づいて初期設定を行う請求項１記載の無線通信装置。
【請求項３】
前記多相クロックは、前記搬送波と加算した際に、加算後の振幅が最大となるクロックであることを特徴とする請求項１又は２記載の無線通信装置。
【請求項４】
負荷変調を併用して振幅変化を最大とする請求項３記載の無線通信装置。
【請求項５】
前記コマンド認識回路が認識したコマンドに基づいて、振幅が最大となる位相を示す設定値を前記制御回路がメモリに書き込みを行う請求項１乃至４のいずれか一項記載の無線通信装置。
【請求項６】
請求項１乃至５のいずれか一項記載の無線通信装置において、受信した前記搬送波と同一周波数のクロックを加算してトリミング装置へ送信してクロックの位相を調整するクロックの位相調整方法であって、
前記無線通信装置が、前記搬送波と同一周波数のクロックを前記搬送波に加算して変調信号を生成するステップと、
前記トリミング装置が、前記変調信号を受信して前記変調信号の振幅を計測するステップと、
前記無線通信装置が前記搬送波に加算するクロックの位相を順次切り替え、前記トリミング装置が前記振幅の最大値となるクロックの位相を示す設定値を記録するステップと、
前記トリミング装置が、前記設定値を前記無線通信装置に記憶させるステップと、を有することを特徴とする無線通信装置におけるクロックの位相調整方法。
【手続補正２】
【補正対象書類名】明細書
【補正対象項目名】０００８
【補正方法】変更
【補正の内容】
【０００８】
本無線通信装置は、多相クロック生成回路により搬送波に同期して前記搬送波と同一周波数である多相クロックを生成する無線通信装置であって、受信した前記搬送波を復調した２値波形からコマンドの検出を行い、位相設定コマンドを認識するコマンド認識回路を備え、前記コマンド認識回路が前記位相設定コマンドを認識したときにレジスタ回路へ位相設定値を設定する制御回路を備え、前記レジスタ回路の前記位相設定値から前記多相クロックの１つのクロックを選択する選択回路を備えたことを要件とする。
【手続補正書】
【提出日】平成29年11月7日(2017.11.7)
【手続補正１】
【補正対象書類名】明細書
【補正対象項目名】０００２
【補正方法】変更
【補正の内容】
【０００２】
投写された画像を指示する指示体の位置を検出する発明として、例えば特許文献１に開示されたプロジェクターがある。このプロジェクターは、投写面に投写された画像を含む範囲を撮像部で撮像する。指示体である発光ペンが投写面上にあると、発光ペンが発光ダイオードから発する赤外光が撮像部で撮影される。プロジェクターは、撮像して得られた画像を解析することにより、投写面上における発光ペンの位置を検知する。移動した発光ペンの位置を結ぶ線の画像を投写すれば、発光ペンの移動軌跡に対応した線の画像を投写することができる。
【手続補正２】
【補正対象書類名】明細書
【補正対象項目名】００３６
【補正方法】変更
【補正の内容】
【００３６】
図５は、制御部１１０が撮像部１７０のシャッタースピードを設定するときの処理の流れを示したフローチャートである。まず、ユーザーが、プロジェクター１０からスクリーンＳＣまでの距離を測定する処理の実行を指示する操作をリモートコントローラーで行うと、制御部１１０は、映像処理部１５０を制御し、当該距離を測定するためのパターン画像をスクリーンＳＣに投写する（ステップＳＡ１）。
【手続補正３】
【補正対象書類名】明細書
【補正対象項目名】００４６
【補正方法】変更
【補正の内容】
【００４６】
変更部１１２は、面積取得部１１４が取得した領域Ａ２の面積に応じて、撮像部１７０の電子シャッターのシャッタースピードを変更する。変更部１１２Ｂは、領域Ａ２の面積が予め定められた面積の範囲に収まらず、その面積が当該範囲の上限より広い場合には、撮像部１７０のシャッタースピードを速くし、取得した面積が予め定められた面積の範囲に収まらず、その面積が当該範囲の下限より狭い場合には、撮像部１７０のシャッタースピードを遅くする。また、変更部１１２Ｂは、取得した領域Ａ２の面積が予め定められた面積の範囲に収まっている場合には、シャッタースピードを変更しない。
【手続補正４】
【補正対象書類名】明細書
【補正対象項目名】００４９
【補正方法】変更
【補正の内容】
【００４９】
制御部１１０は、取得した面積が予め定められた面積の範囲に収まらず（ステップＳＢ３でＹＥＳ）、その面積が当該範囲の上限より広い場合には（ステップＳＢ４でＹＥＳ）、撮像部１７０のシャッタースピードを速くし（ステップＳＢ６）、処理の流れをステップＳＢ１へ戻す。また、制御部１１０は、取得した面積が予め定められた面積の範囲に収まらず、その面積が当該範囲の下限より狭い場合には（ステップＳＢ４でＮＯ）、撮像部１７０のシャッタースピードを遅くし（ステップＳＢ５）、処理の流れをステップＳＢ１へ戻す。制御部１１０は、取得した面積が予め定められた面積の範囲に収まっている場合には（ステップＳＢ３でＮＯ）、撮像部１７０のシャッタースピードを設定する処理を終了する。
【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
暫定特定カラーパッチを中心として放射状に配置された複数の周囲カラーパッチからなる色可変チャートを生成する色調整装置であって、
複数の周囲カラーパッチは、暫定特定カラーパッチを中心として120度間隔でＣＭＹまたはＲＧＢに対応した異なる３方向に延びる色領域で構成されており、
各色領域の各周囲カラーパッチは、暫定特定カラーパッチのＣＭＹ値またはＲＧＢ値（以下、色値と記す）に対して、１色の色値を固定して、残り２色の色値を変更して、暫定特定カラーパッチの色値の近似色を色単位で表現している色可変チャートを生成することを特徴とする色調整装置。
【請求項２】
印刷対象とする実用媒体上に、印刷装置を用いて当該色可変チャートを印刷せしめた上で、
ユーザーによる目視で見本色媒体を近似した色を周囲カラーパッチ群の中から選択させ、その色を新たな暫定特定カラーパッチとして再度色可変チャートを生成可能な請求項１記載の色調整装置。
【請求項３】
印刷対象とする実用媒体上に、印刷装置を用いて当該色可変チャートを印刷せしめた上で、
ユーザーによる目視で見本色媒体を近似した色を周囲カラーパッチ群の中から選択させ、その色をもって所望の色と決定し、その色に対応する色値に基づいて、対象となる画像データを補正する請求項１記載の色調整装置。
【請求項４】
色可変チャートを構成する３つの色領域のそれぞれは六角形をしており、各六角形に含まれる周囲カラーパッチで色値を固定する色は同一である請求項１記載の色調整装置。
【請求項５】
色可変チャートを構成する３つの色領域について、隣り合う色領域同士で重複する周囲カラーパッチを有し、３色領域が重複する位置に存在するパッチを暫定特定カラーパッチとしている請求項４記載の色調整装置。
【請求項６】
周囲カラーパッチ群で構成される３つの色領域のそれぞれは、暫定特定カラーパッチの色値合計に対してプラスの色値合計になる増加領域と、同じくマイナスの色値合計になる減少領域を有している請求項５記載の色調整装置。
【請求項７】
色可変チャートを構成する３つの色領域のそれぞれは六角形をしており、各六角形に含まれる周囲カラーパッチでも色値を固定する色は異なっている請求項１記載の色調整装置。
【請求項８】
色可変チャートを構成する六角形の３つの色領域を、中央の六角形の色領域と、その外側に位置する３つの外部領域として見た場合、中央の六角形の中心を暫定特定カラーパッチとし、その周辺の周辺パッチを均等に３つの領域に分けてその領域内で各色の色値を固定し、それに対応する外部領域は隣接する中央側の領域の色とは別の２色の色値を固定した請求項７記載の色調整装置。
【請求項９】
中央の六角形の色領域を、暫定特定カラーパッチの色値合計に対してプラスの色値合計になる増加領域またはマイナスの色値合計になる減少領域とし、その外側に位置する３つの外部領域の色領域を、他方となる減少領域または増加領域とした請求項８記載の色調整装置。
【請求項１０】
色値の変更は、変更を示す係数に、変化の大きさを示すステップ数を乗算した値を暫定特定カラーパッチの色値に加減算することで行う請求項１記載の色調整装置。
【請求項１１】
印刷対象とする実用媒体上に、色可変チャートを印刷せしめるのと同じ印刷装置を用いて、暫定特定カラーパッチを決定するための色見本を印刷させることとし、そのための色見本生成テーブルを有する色調整装置。
【請求項１２】
色見本を印刷させるためボタンと、色可変チャートを印刷させるためのボタン、および最終的にユーザーが選択した所望の色に対応する色値を入力する入力部を用意した画面を有する色調整装置。
【請求項１３】
暫定特定カラーパッチを中心として放射状に配置された複数の周囲カラーパッチからなる色可変チャートを生成する生成方法であって、
複数の周囲カラーパッチは、暫定特定カラーパッチを中心として120度間隔でＣＭＹまたはＲＧＢに対応した異なる３方向に延びる色領域で構成されており、
各色領域の各周囲カラーパッチは、暫定特定カラーパッチのＣＭＹ値またはＲＧＢ値（以下、色値と記す）に対して、１色の色値を固定して、残り２色の色値を変更して、暫定特定カラーパッチの色値の近似色を色単位で表現している色可変チャートを生成する色可変チャート生成方法。
【手続補正２】
【補正対象書類名】明細書
【補正対象項目名】発明の名称
【補正方法】変更
【補正の内容】
【発明の名称】色調整装置、色可変チャート生成方法